(57)【要約】【課題】製造コストが安価であるとともに映像の輝度均一性を向上させることができる背面投影型スクリーンを提供する。【解決手段】背面投影型スクリーン１０は、水平拡散シート１３と、水平拡散シート１３に隣接して配置された垂直拡散シート１２とを備えている。このうち垂直拡散シート１２は、基板１２ａと、基板１２ａの一方の面に設けられ、垂直拡散機能を有する垂直拡散レンズ部１２ｂとを有している。また、垂直拡散レンズ部１２ｂ上に、水平拡散機能を有する水平拡散レンズ部１２ｃが設けられている。【選択図】図１
2008216901.tif 000002
【特許請求の範囲】
【請求項１】
水平拡散シートと、
水平拡散シートに隣接して配置された垂直拡散シートとを備えた背面投影型スクリーンにおいて、
垂直拡散シートは、
基板と、
基板の一方の面に設けられ、垂直拡散機能を有する垂直拡散レンズ部と、
垂直拡散レンズ部上に設けられ、水平拡散機能を有する水平拡散レンズ部とからなることを特徴とする背面投影型スクリーン。
【請求項２】
垂直拡散レンズ部は、レンチキュラーレンズ形状またはプリズムレンズ形状を有する複数のレンズからなり、水平拡散レンズ部は、ランダムな形状を有する複数の微小レンズからなることを特徴とする請求項１に記載の背面投影型スクリーン。
【請求項３】
垂直拡散シートの垂直拡散半値角（αＶ）と水平拡散半値角（αＨ）との比（αＶ／αＨ）が、垂直拡散シートの垂直方向中央部から垂直拡散シートの垂直方向端部に向かうにしたがって大きくなることを特徴とする請求項１または２に記載の背面投影型スクリーン。
【請求項４】
垂直拡散シートの基板の他方の面に、フレネルレンズ部が設けられていることを特徴とする請求項１乃至３のいずれかに記載の背面投影型スクリーン。
【請求項５】
垂直拡散シートのフレネルレンズ部は、外部からエネルギーを付加することにより硬化する性質を有する合成樹脂からなることを特徴とする請求項４に記載の背面投影型スクリーン。
【請求項６】
垂直拡散シートの基板の他方の面に、表面処理が施された表面処理部が設けられていることを特徴とする請求項１乃至３のいずれかに記載の背面投影型スクリーン。
【請求項７】
請求項１乃至６のいずれかに記載の背面投影型スクリーンと、この背面投影型スクリーンに対して映像光を出射する光源とを備えたことを特徴とする背面投影型テレビ装置。
【請求項８】
基板と、
基板の一方の面に設けられ、垂直拡散機能を有する垂直拡散レンズ部と、
垂直拡散レンズ部上に設けられ、水平拡散機能を有する水平拡散レンズ部とからなることを特徴とする垂直拡散シート。
【発明の詳細な説明】
【技術分野】
【０００１】
本発明は、垂直拡散シート、背面投影型スクリーンおよびそれを備えた背面投影型テレビ装置に係り、とりわけ、製造コストが安価であるとともに良好な画像を得ることができる垂直拡散シート、背面投影型スクリーンおよびそれを備えた背面投影型テレビ装置に関する。
【背景技術】
【０００２】
一般に、背面投射型スクリーン１は、図１０に示すように、背面から投射された映像光５を略平行または正面に集光させる機能を有するフレネルレンズシート２と、このフレネルレンズシート２を透過した映像光５を主として水平方向に拡散させ、かつコントラストを向上させるためにブラックストライプ部３ａを観察者側に設けた水平拡散シート３を備えている。また、水平拡散シート３の観察者側に、フレネルレンズシート２および水平拡散シート３を保護するための前面板４が設けられている。
【０００３】
しかしながら、背面投射型スクリーン１は構成部材が多く、また近年背面投射型スクリーン１が大型化していることに伴い、背面投射型スクリーン１の製造コストを低減することが求められている。
【０００４】
ところで、一般に、上述したフレネルレンズシート２や水平拡散シート３等の拡散シートは、水平または垂直方向に拡散性能を持たせるため、その内部に拡散材が混入されている。しかしながら、拡散材は、拡散シートを主に構成する基材と比較して材料コストが高い。また、拡散材と基材とを適当なパーツ数で混合する工程が別途設けられているため、拡散シート自体の製造コストは基材のみからなるシートの製造コストと比べかなり高くなっている。
【０００５】
また一般に、フレネルレンズシートは、熱可塑性樹脂からなる原反シートの一面に紫外線硬化型樹脂等からなるフレネルレンズを形成することにより製造される。一方、シートの垂直方向に拡散性能を持たせるため、原反シートの他面に、垂直方向に光を拡散させるレンチキュラーレンズが配列されたフレネルレンズシートも存在する（例えば特許文献４参照）。しかしながら、このようなフレネルレンズシートにおいて、垂直方向の拡散性能は、レンチキュラーレンズにより制御される。しかしながら、これと併せてシート内部に水平方向および垂直方向の拡散性能を補助するための拡散材が混入されるのが一般的である。
【０００６】
また、拡散シートの表面をマット加工することにより、二重像や映像のざらつきを低減し、水平方向および垂直方向の拡散性能を付与する拡散シートも知られている。しかしながら、このような拡散シートは、水平方向および垂直方向の拡散特性が制御できず、スクリーンの輝度均一性に関しては不十分となるおそれがある（例えば、特許文献５、６、７参照）。
【特許文献１】特開昭６３−１６３４４５号公報
【特許文献２】特開平５−１２７２５７号公報
【特許文献３】特開平９−３１１２０４号公報
【特許文献４】特開平１１−２３７６９２号公報
【特許文献５】特開２０００−１８０９６８号公報
【特許文献６】特開２００３−０５０４２７号公報
【特許文献７】特開２００３−２１５７０６号公報
【発明の開示】
【発明が解決しようとする課題】
【０００７】
本発明はこのような点を考慮してなされたものであり、製造コストが安価であるとともに映像の輝度均一性を向上させることができる背面投影型スクリーンおよびそれを備えた背面投影型テレビ装置を提供することを目的とする。
【課題を解決するための手段】
【０００８】
本発明は、水平拡散シートと、水平拡散シートに隣接して配置された垂直拡散シートとを備えた背面投影型スクリーンにおいて、垂直拡散シートは、基板と、基板の一方の面に設けられ、垂直拡散機能を有する垂直拡散レンズ部と、垂直拡散レンズ部上に設けられ、水平拡散機能を有する水平拡散レンズ部とからなることを特徴とする背面投影型スクリーンである。
【０００９】
本発明は、垂直拡散レンズ部は、レンチキュラーレンズ形状またはプリズムレンズ形状を有する複数のレンズからなり、水平拡散レンズ部は、ランダムな形状を有する複数の微小レンズからなることを特徴とする背面投影型スクリーンである。
【００１０】
本発明は、垂直拡散シートの垂直拡散半値角（αＶ）と水平拡散半値角（αＨ）との比（αＶ／αＨ）が、垂直拡散シートの垂直方向中央部から垂直拡散シートの垂直方向端部に向かうにしたがって大きくなることを特徴とする背面投影型スクリーンである。
【００１１】
本発明は、垂直拡散シートの基板の他方の面に、フレネルレンズ部が設けられていることを特徴とする背面投影型スクリーンである。
【００１２】
本発明は、垂直拡散シートのフレネルレンズ部は、外部からエネルギーを付加することにより硬化する性質を有する合成樹脂からなることを特徴とする背面投影型スクリーンである。
【００１３】
本発明は、垂直拡散シートの基板の他方の面に、表面処理が施された表面処理部が設けられていることを特徴とする背面投影型スクリーンである。
【００１４】
本発明は、背面投影型スクリーンと、この背面投影型スクリーンに対して映像光を出射する光源とを備えたことを特徴とする背面投影型テレビ装置である。
【００１５】
本発明は、基板と、基板の一方の面に設けられ、垂直拡散機能を有する垂直拡散レンズ部と、垂直拡散レンズ部上に設けられ、水平拡散機能を有する水平拡散レンズ部とからなることを特徴とする垂直拡散シートである。
【発明の効果】
【００１６】
本発明によれば、垂直拡散シートは、垂直拡散機能を有する垂直拡散レンズ部と、垂直拡散レンズ部上に設けられ、水平拡散機能を有する水平拡散レンズ部とを有しているので、垂直拡散シート内部に拡散材を混入する必要がない。これにより、垂直拡散シートのコストを低減することができる。また、垂直拡散シートの垂直拡散性能が水平拡散性能より大きくなるため、上下方向の輝度均一性を向上させることができる。
【００１７】
また、本発明によれば、垂直拡散レンズ部は、レンチキュラーレンズ形状またはプリズムレンズ形状を有する複数のレンズからなり、水平拡散レンズ部は、ランダムな形状を有する複数の微小レンズからなっているので、拡散シートを構成する基材と拡散材とを適当なパーツ数で混合する工程を別途設ける必要がなく、金型を用いて垂直拡散シートを成形するプロセスを簡略化することができる。また、水平拡散レンズ部は水平拡散性能を有するため、垂直拡散シートに水平方向の視野特性も加味することができる。
【００１８】
さらに、本発明によれば、垂直拡散シートの垂直拡散半値角（αＶ）と水平拡散半値角（αＨ）との比（αＶ／αＨ）が、垂直拡散シートの垂直方向中央部から垂直拡散シートの垂直方向端部に向かうにしたがって大きくなっているので、背面投影型スクリーンの垂直方向中央部より背面投影型スクリーンの垂直方向端部の垂直拡散性能を向上させることができ、これにより背面投影型スクリーンの上下方向の輝度均一性を向上させることができる。
【００１９】
さらにまた、本発明によれば、垂直拡散シートの基板の他方の面に、フレネルレンズ部が設けられているので、拡散材を用いることなく構成部材の数を減らしながら輝度分布の良好なフレネルレンズシート（垂直拡散シート）を得ることができる。
【００２０】
さらにまた、本発明によれば、垂直拡散シートの基板の他方の面に、表面処理が施された表面処理部が設けられているので、拡散材を用いることなく構成部材の数を減らしながら輝度分布の良好な前面板（垂直拡散シート）を得ることができる。
【００２１】
さらにまた、本発明によれば、製造コストが安価であるとともに輝度分布が良好な背面投影型テレビ装置を得ることができる。
【発明を実施するための最良の形態】
【００２２】
第１の実施の形態
以下、本発明の第１の実施の形態について、図１乃至図５、および図９（ａ）（ｂ）を参照して説明する。
ここで、図１は、本発明の第１の実施の形態を示す斜視図であり、図２は、本発明の第１の実施の形態におけるフレネルレンズシート（垂直拡散シート）を示す斜視図である。また、図３は、水平拡散レンズ部が複数の微小レンズからなる垂直拡散シートを示す斜視図であり、図４は、垂直拡散シートの輝度分布を示すグラフである。また、図５は、垂直拡散レンズ部が、断面がプリズムレンズ形状（三角形状）を有する複数の単位レンズからなる垂直拡散シートを示す斜視図であり、図９（ａ）（ｂ）は、基材の出射面が平坦な場合における水平拡散シートを示す斜視図である。
【００２３】
まず、図１乃至図５、および図９（ａ）（ｂ）により、本実施の形態による背面投影型スクリーンの概略について説明する。
図１に示すように、背面投影型スクリーン１１は、前面板１４と、前面板１４に隣接して配置され、レンチキュラーレンズシートからなる水平拡散シート１３と、この水平拡散シート１３に隣接して配置されたフレネルレンズシート（垂直拡散シート）１２とを備えている。
【００２４】
このうちフレネルレンズシート（垂直拡散シート）１２は、図２に示すように、例えばアクリル樹脂、ＭＳ樹脂、ポリカーボネート樹脂等の熱可塑性樹脂からなる基板１２ａと、基板１２ａの一方の面に設けられ、垂直拡散機能を有する垂直拡散レンズ部１２ｂと、垂直拡散レンズ部１２ｂ上に設けられ、水平拡散機能を有する水平拡散レンズ部１２ｃとを有している。また、フレネルレンズシート（垂直拡散シート）１２の基板１２ａの他方の面に、同心円状のフレネルレンズ部１２ｄが設けられている。このフレネルレンズ部１２ｄは、外部からエネルギーを付加することにより硬化する性質を有する合成樹脂、例えばウレタンアクリレート系樹脂、エポキシアクリレート系樹脂等の紫外線硬化型樹脂からなっている。
【００２５】
図２において、垂直拡散レンズ部１２ｂは、それぞれが長手方向がフレネルレンズシート（垂直拡散シート）１２の水平方向と平行であるとともに、断面が半円形のレンチキュラーレンズ形状を有する複数の単位レンズ１２ｅからなっている。他方、この垂直拡散レンズ部１２ｂは、それぞれが長手方向がフレネルレンズシート（垂直拡散シート）１２の水平方向と平行であるとともに、断面がプリズムレンズ形状（三角形状）を有する複数の単位レンズ１２ｅからなっていても良い（図５参照）。
【００２６】
また、水平拡散レンズ部１２ｃは、図３に示すように、ランダムな形状を有する複数の微小レンズからなっていても良い。
【００２７】
このフレネルレンズシート（垂直拡散シート）１２は、例えば以下のようにして製造される。まず、上述した熱可塑性樹脂等からなる成形樹脂を、金型により押し出し成形することにより、基板１２ａと、この基板１２ａの一面に設けられた垂直拡散レンズ部１２ｂおよび水平拡散レンズ部１２ｃを一体に形成する。その後、フレネルレンズ部１２ｄの逆型形状を有する不図示のフレネルレンズ成形用金型に、上述した紫外線硬化型樹脂を金型面に塗布し、この金型に充填された紫外線硬化型樹脂の上に基板１２ａの他面を金型側に向けるように載置して加圧積層する。次に、紫外線を照射して樹脂を硬化させ、金型から剥離することにより、基板１２ａの他面にフレネルレンズ部１２ｄを形成する。
【００２８】
また、図１に示すように、水平拡散シート１３は、基材１３ａと、基材１３ａの一面（入射面）に設けられた複数の入射側単位レンズ部１３ｂと、基材１３ａの他面（出射面）に設けられた複数の出射側単位レンズ部１３ｃとを有している。このうち入射側単位レンズ部１３ｂと出射側単位レンズ部１３ｃとは、映像光を水平に拡散させる機能を有している。また、各出射側単位レンズ部１３ｃの間に、それぞれブラックストライプ部１３ｄが設けられている。このブラックストライプ部１３ｄは、背面投影型スクリーン１１の出射面（映像を観察者が視認する方の面）側から入射した外部光が再び外部に出射されるのを防止（低減）する機能を有する。なお、図９（ａ）（ｂ）に示すように、基材１３ａの他面（出射面）に出射側単位レンズ部１３ｃを設けず、基材１３ａの他面（出射面）が平坦になっていても良い。
【００２９】
この水平拡散シート１３は、基材１３ａと入射側単位レンズ部１３ｂと出射側単位レンズ部１３ｃとを、金型を用いて一体として押し出し成形し、その後各出射側単位レンズ部１３ｃの間に、各ブラックストライプ部１３ｄを形成することにより製造される。他方、水平拡散シート１３は、基材１３ａの一面に紫外線を照射することにより入射側単位レンズ部１３ｂが形成され、基材１３ａの他面にセルフアラインメント技術によりブラックストライプ部１３ｄが形成されても良い。
【００３０】
さらに、前面板１４は、観察者（出射）側の面に、アンチリフレクション（ＡＲ）やハードコート（ＨＣ）等の表面処理が施された表面処理部１４ｄを有している。また、この前面板１４は、必要に応じて拡散機能を有していても良い。なお、図１において、前面板１４と水平拡散シート１３とが互いに貼り合わされていても良い。
【００３１】
ところで一般に、図４に示すように、拡散シートの輝度分布は、最大輝度（ピークゲイン）の１／２の輝度となる角度（以下半値角ともいう）に基づいて評価される。この場合、垂直方向の観察角度と水平方向の観察角度とに対応して、それぞれ垂直拡散半値角（αＶ）と水平拡散半値角（αＨ）とが求められ、これらの半値角の比（αＶ／αＨ）により、拡散シートの輝度分布の評価が行なわれる。
【００３２】
本実施の形態において、フレネルレンズシート（垂直拡散シート）１２の垂直拡散半値角（αＶ）と水平拡散半値角（αＨ）との比（αＶ／αＨ）は、１．５乃至３．０となるのが好ましい。他方、この半値角の比（αＶ／αＨ）が、フレネルレンズシート１２の垂直方向中央部からフレネルレンズシート１２の垂直方向端部に向かうにしたがって大きくなっていてもよい。この場合、フレネルレンズシート１２の垂直方向中央部における半値角の比（αＶ／αＨ）の値をｘとすると、フレネルレンズシート１２の垂直方向端部における半値角の比は、１．５ｘ乃至２．０ｘとなるのが好ましい。またこの場合、フレネルレンズシート１２の垂直方向中央部からフレネルレンズシート１２の垂直方向端部に向けて半値角の比（αＶ／αＨ）が滑らかに変化することが好ましい。これに対し、フレネルレンズシート１２の垂直方向中央部からフレネルレンズシート１２の垂直方向端部に向けて半値角の比（αＶ／αＨ）が不連続的に変化する場合、その変化の境界において背面投影型スクリーン１１に表示される画像が劣化するため、好ましくない。
【００３３】
次に、このような構成からなる本実施の形態の作用について述べる。
まず、図１において、フレネルレンズシート（垂直拡散シート）１２の後方（垂直拡散レンズ部１２ｂおよび水平拡散レンズ部１２ｃが設けられている側）からフレネルレンズシート１２に映像光１５が入射する。この場合、フレネルレンズシート１２は、上述したように、垂直拡散機能を有する垂直拡散レンズ部１２ｂと、水平拡散機能を有する水平拡散レンズ部１２ｃとを有しているので、この映像光１５は、垂直拡散レンズ部１２ｂおよび水平拡散レンズ部１２ｃの内部で垂直方向および水平方向に拡散される。その後、映像光１５は、フレネルレンズシート１２のフレネルレンズ部１２ｄにて略平行光とされ、フレネルレンズシート１２から出射する。
【００３４】
次に、フレネルレンズシート１２から出射した映像光１５は、水平拡散シート１３に入射する。この映像光１５は、入射側単位レンズ部１３ｂおよび出射側単位レンズ部１３ｃにより水平方向に拡散され、水平拡散シート１３から出射する。
【００３５】
その後、水平拡散シート１３から出射した映像光１５は、前面板１４内を通過して観察者側へ到達する。
【００３６】
このように、本実施の形態によれば、フレネルレンズシート（垂直拡散シート）１２は、垂直拡散機能を有する垂直拡散レンズ部１２ｂと、垂直拡散レンズ部１２ｂ上に設けられ、水平拡散機能を有する水平拡散レンズ部１２ｃとを有しているので、フレネルレンズシート１２内部に拡散材を混入する必要がなく、フレネルレンズシート１２を構成する基材と拡散材とを適当なパーツ数で混合する工程を別途設ける必要がない。これにより、金型を用いてフレネルレンズシート１２を成形するプロセスを簡略化することができ、フレネルレンズシート１２の製造コストを低減することができる。また、フレネルレンズシート１２の垂直拡散性能が水平拡散性能より大きくなるため、上下方向の輝度均一性を向上させることができる。
【００３７】
また、本実施の形態によれば、水平拡散レンズ部１２ｃは水平拡散性能を有するため、フレネルレンズシート（垂直拡散シート）１２に垂直方向のみならず水平方向の視野特性も加味することができる。
【００３８】
さらに、本実施の形態によれば、フレネルレンズシート（垂直拡散シート）１２の垂直拡散半値角（αＶ）と水平拡散半値角（αＨ）との比（αＶ／αＨ）が、フレネルレンズシート１２の垂直方向中央部からフレネルレンズシート１２の垂直方向端部に向かうにしたがって大きくなっているので、背面投影型スクリーン１１の垂直方向中央部より背面投影型スクリーン１１の垂直方向端部の垂直拡散性能を向上させることができ、これにより背面投影型スクリーン１１の上下方向の輝度均一性を向上させることができる。
【００３９】
さらにまた、本実施の形態によれば、フレネルレンズシート１２の基板１２ａの他方の面に、フレネルレンズ部１２ｄが設けられているので、拡散材を用いることなく構成部材の数を減らしながら輝度分布の良好なフレネルレンズシート（垂直拡散シート）１２を得ることができる。
【００４０】
第２の実施の形態
次に、本発明の第２の実施の形態について図６および図７を参照して説明する。
ここで、図６は、本発明の第２の実施の形態を示す斜視図であり、図７は、本発明の第２の実施の形態における前面板（垂直拡散シート）を示す斜視図である。
図６および図７に示す第２の実施の形態は、水平拡散シート１３に隣接して配置された垂直拡散シートが前面板１４からなっている点が異なるものであり、他の構成は上述した第１の実施の形態と略同一である。図６および図７において、図１乃至図５に示す第１の実施の形態と同一部分には同一の符号を付して詳細な説明は省略する。
【００４１】
まず、図６および図７により、本実施の形態による背面投影型スクリーンの概略について説明する。
図６に示すように、背面投影型スクリーン１１は、フレネルレンズシート１２と、フレネルレンズシート１２に隣接して配置され、レンチキュラーレンズシートからなる水平拡散シート１３と、この水平拡散シート１３に隣接して配置された前面板（垂直拡散シート）１４とを備えている。
【００４２】
このうち前面板（垂直拡散シート）１４は、図７に示すように、基板１４ａと、基板１４ａの一方の面に設けられ、垂直拡散機能を有する垂直拡散レンズ部１４ｂと、垂直拡散レンズ部１４ｂ上に設けられ、水平拡散機能を有する水平拡散レンズ部１４ｃとを有している。また、前面板（垂直拡散シート）１４の基板１４ａの他方（出射側）の面に、アンチリフレクション（ＡＲ）やハードコート（ＨＣ）等の表面処理が施された表面処理部１４ｄが設けられている。
【００４３】
図６において、垂直拡散レンズ部１４ｂは、それぞれが長手方向が前面板（垂直拡散シート）１４の水平方向と平行であるとともに、断面が半円形のレンチキュラーレンズ形状を有する複数の単位レンズ１４ｅからなっている。他方、この垂直拡散レンズ部１４ｂは、それぞれが長手方向が前面板（垂直拡散シート）１４の水平方向と平行であるとともに、断面がプリズムレンズ形状（三角形状）を有する複数の単位レンズからなっていても良い。また、水平拡散レンズ部１４ｃは、ランダムな形状を有する複数の微小レンズからなっていても良い。
【００４４】
ところで、本実施の形態において、第１の実施の形態と同様、前面板（垂直拡散シート）１４の垂直拡散半値角（αＶ）と水平拡散半値角（αＨ）との比（αＶ／αＨ）は、１．５乃至３．０となるのが好ましい。他方、この半値角の比（αＶ／αＨ）が、前面板１４の垂直方向中央部から前面板１４の垂直方向端部に向かうにしたがって大きくなっていてもよい。
【００４５】
次に、このような構成からなる本実施の形態の作用について述べる。
まず、図６において、フレネルレンズシート１２の後方からフレネルレンズシート１２に映像光１５が入射する。この映像光１５は、少なくともフレネルレンズシート１２の垂直拡散レンズ部１２ｂにより垂直方向に拡散される。その後、映像光１５は、フレネルレンズ部１２ｄにて平行光とされ、フレネルレンズシート１２から出射する。
【００４６】
次に、フレネルレンズシート１２から出射した映像光１５は、水平拡散シート１３に入射する。この映像光１５は、入射側単位レンズ部１３ｂおよび出射側単位レンズ部１３ｃにより水平方向に拡散され、水平拡散シート１３から出射する。
【００４７】
その後、水平拡散シート１３から出射した映像光１５は、前面板（垂直拡散シート）１４内へ入射する。この場合、前面板１４は、上述したように、垂直拡散機能を有する垂直拡散レンズ部１４ｂと、水平拡散機能を有する水平拡散レンズ部１４ｃとを有しているので、この映像光１５は、垂直拡散レンズ部１４ｂおよび水平拡散レンズ部１４ｃの内部で水平方向および垂直方向に拡散される。その後、映像光１５は、前面板１４から出射されて観察者側へ到達する。
【００４８】
このように、本実施の形態によれば、前面板（垂直拡散シート）１４は、垂直拡散機能を有する垂直拡散レンズ部１４ｂと、垂直拡散レンズ部１４ｂ上に設けられ、水平拡散機能を有する水平拡散レンズ部１４ｃとを有しているので、前面板１４内部に拡散材を混入する必要がない。これにより、金型を用いて前面板１４を成形するプロセスを簡略化することができ、前面板１４の製造コストを低減することができる。また、前面板１４の垂直拡散性能が水平拡散性能より大きくなるため、上下方向の輝度均一性を向上させることができる。
【００４９】
また、本実施の形態によれば、前面板（垂直拡散シート）１４の基板１４ａの他方の面に、表面処理が施された表面処理部１４ｄが設けられているので、拡散材を用いることなく構成部材の数を減らしながら輝度分布の良好な前面板１４を得ることができる。
【００５０】
第３の実施の形態
次に、本発明の第３の実施の形態について図８を参照して説明する。
ここで、図８は、本発明の第３の実施の形態を示す断面図である。
図８に示す第３の実施の形態において、背面投影型スクリーン１１の構成は上述した第１の実施の形態または第２の実施の形態に示すものと同一である。図８において、図１乃至図５に示す第１の実施の形態ならびに図６および図７に示す第２の実施の形態と同一部分には同一の符号を付して詳細な説明は省略する。
【００５１】
まず、図８により、本実施の形態による背面投影型テレビ装置の概略について説明する。
図８に示すように、背面投影型テレビ装置２０は、筐体２１と、筐体２１内部に配置された光源２２と、光源２２からの映像光１５を反射するミラー２３と、ミラー２３により反射された映像光１５を透過させて映像として表示させる背面投影型スクリーン１１とを備えている。このうち背面投影型スクリーン１１は、上述したように第１の実施の形態または第２の実施の形態に示すものと同一である。
【００５２】
次に、このような構成からなる本実施の形態の作用について述べる。
図８において、光源２２から出射された映像光１５は、ミラー２３により反射されて背面投影型スクリーン１１に到達する。次に、背面投影型スクリーン１１は、このようにして到達した映像光１５を結像させ、映像光１５に基づく映像を観察者２４が認識できるように表示する。
【００５３】
このように、本実施の形態によれば、製造コストが安価であるとともに輝度分布が良好な背面投影型テレビ装置２０を得ることができる。
【００５４】
実施例
次に、本発明の具体的実施例を説明する。
【００５５】
（実施例１）
金型ロールの周方向と垂直に金型ロールを切削し、レンチキュラーレンズ形状の垂直拡散レンズ部を形成するためのメス型を作成した。この際レンズピッチ（複数の単位レンズ間の距離）は０．５２１ｍｍであった。次に、金型ロールの周方向と平行に金型ロールを切削し、水平拡散レンズ部を形成するためのメス型を作成した。この際レンズピッチは０．１１２ｍｍであった。
【００５６】
次に、このようにして切削した金型ロールを用いて、厚さ１．８ｍｍの透明なアクリル板を押し出して一面に垂直拡散レンズ部と水平拡散レンズ部とを有するアクリル板を得た。その後、このアクリル板を、垂直拡散レンズ部が水平方向と平行になるようにして拡散特性を測定したところαＶ＝５．０度、αＨ＝３．０度であった。
【００５７】
この押し出したアクリル板の他面に、ピッチ０．０６８ｍｍのフレネルレンズのメス型を利用しフレネルレンズ部をＵＶ成形し５６Ｗサイズ（縦約０．７０ｍ×横約１．２ｍ）のフレネルレンズシート（垂直拡散シート）を得た。
【００５８】
（実施例２）
金型ロールの周方向と平行に金型ロールを切削し、レンチキュラーレンズ形状の垂直拡散レンズ部を形成するためのメス型を作成した。この際レンズピッチは０．１００ｍｍであった。次に、金型ロールにガラスショットにてブラスト処理し、ランダムな形状を有する複数の微小レンズ（水平拡散レンズ部）を得た。
【００５９】
次に、このロールを用いて、厚さ１．３ｍｍの透明なアクリル板の一面を成形した。このアクリル板の拡散特性を測定したところ、αＶ＝５．０度、αＨ＝２．８度となった。
【００６０】
このアクリル板の他面に実施例１と同様のフレネルレンズを成形し、５６Ｗサイズ（縦約０．７０ｍ×横約１．２ｍ）のフレネルレンズシート（垂直拡散シート）を得た。
【００６１】
（実施例３）
金型ロールの周方向と平行に金型ロールを切削し、略プリズムレンズ形状の垂直拡散レンズ部を形成するためのメス型を作成した。この際レンズピッチは０．１００ｍｍであった。この場合、金型ロール中心においてプリズム角０度、金型ロール端部（中心から５００ｍｍ）においてプリズム角が８度となるようにリニアにプリズム角度を変化させた。次に、このようにして切削された金型ロールをアルミナを用いてブラスト処理し、ランダムな形状を有する複数の微小レンズ（水平拡散レンズ部）を得た。
【００６２】
次に、このロールを用いて、厚さ１．３ｍｍの透明なアクリル板の一面を成形した。この場合、アクリル板の中心部ではαＶ＝３．２度、αＨ＝３．０度であったのに対し、アクリル板の中心から３００ｍｍ離れた位置ではαＶ＝５．６度、αＨ＝３．０度であった。
【００６３】
このアクリル板の他面に実施例１と同様のフレネルレンズを成形し、５６Ｗサイズ（縦約０．７０ｍ×横約１．２ｍ）のフレネルレンズシート（垂直拡散シート）を得た。
【００６４】
（実施例４）
実施例２において、ロールを用いて厚さ１．３ｍｍの透明なアクリル板の一面を成形した後、このアクリル板の他面（出射面）に、アンチリフレクション（ＡＲ）処理およびハードコート（ＨＣ）処理を施し、前面板（垂直拡散シート）を得た。
【００６５】
（比較例１）
ミラーロールを用いて平滑な厚さ１．８ｍｍのアクリル板の一面を押し出し成形した。このようにして成形する際、アクリル板に拡散材を混入した。次に、このアクリル板の拡散特性を測定したところ、αＶ＝αＨ＝２．８°の拡散板が得られた。このアクリル板の他面に実施例１と同様のフレネルレンズを成形し、５６Ｗサイズ（縦約０．７０ｍ×横約１．２ｍ）のフレネルレンズシートを得た。
【００６６】
（比較例２）
比較例１において成形された後のアクリル板の他面に、アンチリフレクション（ＡＲ）処理およびハードコート（ＨＣ）処理を施し、前面板（垂直拡散シート）を得た。
【００６７】
実施例１乃至３または比較例１をフレネルレンズシートとしてテレビ装置に実装し、それぞれのユニフォミティー（輝度分布の均一性）を比較評価したところ以下のようになった。
実施例３＞実施例１＞実施例２＞比較例１
【００６８】
また、同様に実施例４と比較例２とを前面板としてテレビ装置に実装し、それぞれのユニフォミティーを比較評価したところ以下のようになった。
実施例４＞比較例２
【００６９】
このように、本発明による垂直拡散シートを用いて背面投影型スクリーンを構成し、これをテレビ装置に実装することにより、ユニフォーミティーの優れた映像が得られた。
【図面の簡単な説明】
【００７０】
【図１】本発明による背面投影型スクリーンの第１の実施の形態を示す斜視図。
【図２】本発明の第１の実施の形態におけるフレネルレンズシート（垂直拡散シート）を示す斜視図。
【図３】水平拡散レンズ部が複数の微小レンズからなる垂直拡散シートを示す斜視図。
【図４】垂直拡散シートの輝度分布を示すグラフ。
【図５】垂直拡散レンズ部が、断面がプリズムレンズ形状（三角形状）を有する複数の単位レンズからなる垂直拡散シートを示す斜視図。
【図６】本発明による背面投影型スクリーンの第２の実施の形態を示す斜視図。
【図７】本発明の第２の実施の形態における前面板（垂直拡散シート）を示す斜視図。
【図８】本発明による背面投影型テレビ装置を示す断面図。
【図９】基材の出射面が平坦な場合における水平拡散シートを示す斜視図。
【図１０】従来の背面投影型スクリーンを示す斜視図。
【符号の説明】
【００７１】
１     背面投射型スクリーン
２     フレネルレンズシート
３     水平拡散シート
３ａ   ブラックストライプ部
４     前面板
５     映像光
１１   背面投影型スクリーン
１２   フレネルレンズシート
１２ａ 基板
１２ｂ 垂直拡散レンズ部
１２ｃ 水平拡散レンズ部
１２ｄ フレネルレンズ部
１２ｅ 単位レンズ
１３   水平拡散シート
１３ａ 基材
１３ｂ 入射側単位レンズ部
１３ｃ 出射側単位レンズ部
１３ｄ ブラックストライプ部
１４   前面板
１４ａ 基板
１４ｂ 垂直拡散レンズ部
１４ｃ 水平拡散レンズ部
１４ｄ 表面処理部
１４ｅ 単位レンズ
１５   映像光
２０   背面投影型テレビ装置
２１   筐体
２２   光源
２３   ミラー
２４   観察者
【図１】
2008216901.tif 000003
【図２】
2008216901.tif 000004
【図３】
2008216901.tif 000005
【図４】
2008216901.tif 000006
【図５】
2008216901.tif 000007
【図６】
2008216901.tif 000008
【図７】
2008216901.tif 000009
【図８】
2008216901.tif 000010
【図９】
2008216901.tif 000011
【図１０】
2008216901.tif 000012